(57)【要約】【課題】ＤＶＤプレイヤの利便性を向上する。【解決手段】マイクロプロセッサ１１は、ディスプレイ３からＨＤＭＩケーブルを介してＥＤＩＤを取得するＥＤＩＤ取得部１１１と、ユーザからの操作入力を、リモコン２を介して受け付けて、受け付けられた操作入力に基づいて、ディスプレイ３とのＨＤＭＩに関する設定を、ＥＤＩＤ取得部１１１によって取得されたＥＤＩＤ設定情報に従って行うか否かの選択を行う設定切換部１１２と、設定切換部１１２によってディスプレイ３とのＨＤＭＩに関する設定をＥＤＩＤに従って行わないと選択された場合には、ディスプレイ３とのＨＤＭＩに関する設定を、ＥＤＩＤに対応していない設定条件も含めて行うＨＤＭＩ設定部１１３と、を備えている。【選択図】図４
2008053983.tif 000002
【特許請求の範囲】
【請求項１】
動画像及び音声を出力可能に構成されたディスプレイとＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して通信可能に接続されると共に、複数のキーを備え、外部からの操作を前記複数のキーを介して受け付けるリモートコントローラと通信可能に接続され、ＤＶＤに格納された動画像情報及び音声情報を読み出して再生し、前記ディスプレイに出力させるＤＶＤプレイヤであって、
前記ディスプレイからＥＤＩＤ（Ｅｘｔｅｎｄｅｄ  Ｄｉｓｐｌａｙ  Ｉｄｅｎｔｉｆｉｃａｔｉｏｎ  Ｄａｔａ）を取得するＥＤＩＤ取得手段と、
前記ディスプレイとのＨＤＭＩに関する設定を、前記ＥＤＩＤ取得手段によって取得されたＥＤＩＤに従って行うか否かの選択を行う設定切換手段と、
前記設定切換手段によって前記ディスプレイとのＨＤＭＩに関する設定をＥＤＩＤに従って行うと選択された場合には、ＥＤＩＤに従って前記ディスプレイの設定を行い、前記設定切換手段によってＥＤＩＤに従って前記ディスプレイとのＨＤＭＩに関する設定を行わないと選択された場合には、前記ディスプレイとのＨＤＭＩに関する設定をＥＤＩＤに対応していない設定条件も含めて行うＨＤＭＩ設定手段と、
前記ＨＤＭＩ設定手段によって、ＥＤＩＤに対応していない設定条件が受け付けられた場合に、前記ディスプレイにＥＤＩＤに対応していない設定条件が受け付けられた旨の情報を表示させることによって、ＥＤＩＤに対応していない設定条件が受け付けられた旨の情報を報知する報知手段と、
前記ＨＤＭＩ設定手段によって、ＥＤＩＤに対応していない設定条件が受け付けられた場合に、前記リモートコントローラを介して外部からの操作入力を受け付けて、受け付けられた操作入力に基づいて、ＥＤＩＤに対応していない設定条件を設定するか否かの判定を行う判定手段と、
を備え、
前記ＨＤＭＩ設定手段は、前記ディスプレイとのＨＤＭＩに関する設定に対応するメニュー画面を前記ディスプレイに表示し、前記リモートコントローラを介して外部からの操作入力を受け付けて、受け付けられた操作入力に基づいて、メニュー画面の項目を選択することによりＨＤＭＩに関する設定を行うと共に、
前記ディスプレイとのＨＤＭＩに関する設定項目として、画像の解像度の設定、画像のカラースペースの設定、及び、音声の音響効果の設定を含むことを特徴とするＤＶＤプレイヤ。
【請求項２】
動画像及び音声を出力可能に構成された表示装置とＤＶＩ（Ｄｉｇｉｔａｌ  Ｖｉｓｕａｌ  Ｉｎｔｅｒｆａｃｅ）又はＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して通信可能に接続され、記録媒体に格納された動画像情報及び音声情報を読み出して再生し、前記表示装置に出力させる動画像再生装置であって、
前記表示装置からＥＤＩＤ（Ｅｘｔｅｎｄｅｄ  Ｄｉｓｐｌａｙ  Ｉｄｅｎｔｉｆｉｃａｔｉｏｎ  Ｄａｔａ）を取得するＥＤＩＤ取得手段と、
外部からの操作入力を受け付けて、受け付けられた操作入力に基づいて、前記表示装置とのＨＤＭＩに関する設定を、前記ＥＤＩＤ取得手段によって取得されたＥＤＩＤに従って行うか否かの選択を行う設定切換手段と、
前記設定切換手段によって前記表示装置とのＨＤＭＩに関する設定をＥＤＩＤに従って行うと選択された場合には、ＥＤＩＤに従って前記表示装置とのＨＤＭＩに関する設定を行い、前記設定切換手段によって前記表示装置とのＨＤＭＩに関する設定をＥＤＩＤに従って行わないと選択された場合には、前記表示装置とのＨＤＭＩに関する設定を、ＥＤＩＤに対応していない設定条件も含めて行うＨＤＭＩ設定手段と、
を備えることを特徴とする動画像再生装置。
【請求項３】
前記ＨＤＭＩ設定手段は、前記表示装置とのＨＤＭＩに関する設定に対応するメニュー画面を前記表示装置に表示し、外部からの操作入力を受け付けて、受け付けられた操作入力に基づいて、メニュー画面の項目を選択することによりＨＤＭＩに関する設定を行うことを特徴とする請求項２に記載の動画像再生装置。
【請求項４】
複数のキーを備え、外部からの操作を前記複数のキーを介して受け付ける操作手段と通信可能に接続され、
前記ＨＤＭＩ設定手段は、前記操作手段を介して、外部からの操作入力を受け付けることによりＨＤＭＩに関する設定を行うことを特徴とする請求項３に記載の動画像再生装置。
【請求項５】
前記ＨＤＭＩ設定手段によって、ＥＤＩＤに対応していない設定条件が受け付けられた場合に、ＥＤＩＤに対応していない設定条件が受け付けられた旨の情報を報知する報知手段を備えることを特徴とする請求項２〜請求項４のいずれかに記載の動画像再生装置。
【請求項６】
前記報知手段は、ＥＤＩＤに対応していない設定条件が受け付けられた旨の情報を前記表示装置に表示させることを特徴とする請求項５に記載の動画像再生装置。
【請求項７】
前記ＨＤＭＩ設定手段によって、ＥＤＩＤに対応していない設定条件が受け付けられた場合に、外部からの操作入力を受け付けて、受け付けられた操作入力に基づいて、ＥＤＩＤに対応していない設定条件を設定するか否かの判定を行う判定手段を備えることを特徴とする請求項２〜請求項６のいずれかに記載の動画像再生装置。
【請求項８】
前記ＨＤＭＩ設定手段は、前記ディスプレイとのＨＤＭＩに関する設定項目として、画像の解像度の設定、画像のカラースペースの設定、及び、音声の音響効果の設定、の少なくとも１の項目を含むことを特徴とする請求項２〜請求項７のいずれかに記載の動画像再生装置。
【発明の詳細な説明】
【技術分野】
【０００１】
本発明は、動画像及び音声を出力可能に構成された表示装置とＤＶＩ（Ｄｉｇｉｔａｌ  Ｖｉｓｕａｌ  Ｉｎｔｅｒｆａｃｅ）又はＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して通信可能に接続され、記録媒体に格納された動画像情報及び音声情報を読み出して再生し、前記表示装置に出力させる動画像再生装置及びＤＶＤプレイヤに関する。
【背景技術】
【０００２】
デジタル映像信号を伝送するための規格として、ＤＶＩ規格が普及している。そして、このＤＶＩ規格をさらに改良したデジタル信号伝送規格として、ＨＤＭＩ規格が採用されるようになってきている。このＨＤＭＩ規格には、デジタル映像信号をＲ、Ｇ、Ｂ形式の他に色差（Ｙ、Ｃｂ、Ｃｒ）形式で伝送することが可能であること等、ＤＶＩ規格にはない種々の規定が含まれている。
【０００３】
そこで、ＬＣＤ（Ｌｉｑｕｉｄ  Ｃｒｙｓｔａｌ  Ｄｉｓｐｌａｙ）等からなるディスプレイにＨＤＭＩ用の入力端子を設け、この入力端子に、ＤＶＤ（Ｄｉｇｉｔａｌ  Ｖｅｒｓａｔｉｌｅ  Ｄｉｓｋ）プレイヤ等の外部機器からＨＤＭＩ規格に準拠したデジタル信号を供給可能にしたものもある。
【０００４】
また、ＨＤＭＩ規格の伝送信号には、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）として、解像度情報等の表示関連情報、及び音響効果情報等の音声関連情報が含まれており、例えば、ディスプレイにて表示される画像の解像度を、ＥＤＩＤに含まれる解像度情報に従って設定するＤＶＤプレイヤが提案されている（特許文献１参照）。
【特許文献１】特開２００５−１０９７０３号公報
【発明の開示】
【発明が解決しようとする課題】
【０００５】
このＤＶＤプレイヤでは、ＥＤＩＤに含まれる解像度情報に従って設定されるため、ユーザの利便性が向上する。一方、ＥＤＩＤに含まれる解像度情報が伝送ノイズ等によって改変され、適正では無い場合があり、また、ユーザがＥＤＩＤに含まれる解像度情報以外の解像度での表示を所望する場合がある。このような場合には、上記ＤＶＤプレイヤでは、ユーザの要求を充分に満たさない場合があり、利便性を向上する必要がある。
【０００６】
本発明は、上記課題に鑑みてなされたものであって、利便性の高い動画像再生装置及びＤＶＤプレイヤを提供することを目的としている。
【課題を解決するための手段】
【０００７】
上記目的を達成するために請求項１に記載のＤＶＤプレイヤは、動画像及び音声を出力可能に構成されたディスプレイとＨＤＭＩを介して通信可能に接続されると共に、複数のキーを備え、外部からの操作を前記複数のキーを介して受け付けるリモートコントローラと通信可能に接続され、ＤＶＤに格納された動画像情報及び音声情報を読み出して再生し、前記ディスプレイに出力させるＤＶＤプレイヤであって、前記ディスプレイからＥＤＩＤを取得するＥＤＩＤ取得手段と、前記ディスプレイとのＨＤＭＩに関する設定を、前記ＥＤＩＤ取得手段によって取得されたＥＤＩＤに従って行うか否かの選択を行う設定切換手段と、前記設定切換手段によってＥＤＩＤに従って前記ディスプレイとのＨＤＭＩに関する設定を行うと選択された場合には、ＥＤＩＤに従って前記ディスプレイとのＨＤＭＩに関する設定を行い、前記設定切換手段によってＥＤＩＤに従って前記ディスプレイの設定を行わないと選択された場合には、ＥＤＩＤに対応していない設定条件も含めて前記ディスプレイとのＨＤＭＩに関する設定を行うＨＤＭＩ設定手段と、前記ＨＤＭＩ設定手段によって、ＥＤＩＤに対応していない設定条件が受け付けられた場合に、前記ディスプレイにＥＤＩＤに対応していない設定条件が受け付けられた旨の情報を表示させることによって、ＥＤＩＤに対応していない設定条件が受け付けられた旨の情報を報知する報知手段と、前記ＨＤＭＩ設定手段によって、ＥＤＩＤに対応していない設定条件が受け付けられた場合に、前記リモートコントローラを介して外部からの操作入力を受け付けて、受け付けられた操作入力に基づいて、ＥＤＩＤに対応していない設定条件を設定するか否かの判定を行う判定手段と、を備え、前記ＨＤＭＩ設定手段が、前記ディスプレイとのＨＤＭＩに関する設定に対応するメニュー画面を前記ディスプレイに表示し、前記リモートコントローラを介して外部からの操作入力を受け付けて、受け付けられた操作入力に基づいて、メニュー画面の項目を選択することによりＨＤＭＩに関する設定を行うと共に、前記ディスプレイとのＨＤＭＩに関する設定項目として、画像の解像度の設定、画像のカラースペースの設定、及び、音声の音響効果の設定を含むことを特徴としている。
【０００８】
請求項２に記載の動画像再生装置は、動画像及び音声を出力可能に構成された表示装置とＤＶＩ又はＨＤＭＩを介して通信可能に接続され、記録媒体に格納された動画像情報及び音声情報を読み出して再生し、前記表示装置に出力させる動画像再生装置であって、前記表示装置からＥＤＩＤを取得するＥＤＩＤ取得手段と、外部からの操作入力を受け付けて、受け付けられた操作入力に基づいて、前記表示装置とのＨＤＭＩに関する設定を、前記ＥＤＩＤ取得手段によって取得されたＥＤＩＤに従って行うか否かの選択を行う設定切換手段と、前記設定切換手段によってＥＤＩＤに従って前記表示装置とのＨＤＭＩに関する設定を行うと選択された場合には、ＥＤＩＤに従って前記表示装置とのＨＤＭＩに関する設定を行い、前記設定切換手段によってＥＤＩＤに従って前記表示装置の設定を行わないと選択された場合には、ＥＤＩＤに対応していない設定条件も含めて前記表示装置とのＨＤＭＩに関する設定を行うＨＤＭＩ設定手段と、を備えることを特徴としている。
【０００９】
請求項３に記載の動画像再生装置は、請求項２に記載の動画像再生装置であって、前記ＨＤＭＩ設定手段が、前記表示装置とのＨＤＭＩに関する設定に対応するメニュー画面を前記表示装置に表示し、外部からの操作入力を受け付けて、受け付けられた操作入力に基づいて、メニュー画面の項目を選択することによりＨＤＭＩに関する設定を行うことを特徴としている。
【００１０】
請求項４に記載の動画像再生装置は、請求項３に記載の動画像再生装置であって、複数のキーを備え、外部からの操作を前記複数のキーを介して受け付ける操作手段と通信可能に接続され、前記ＨＤＭＩ設定手段が、前記操作手段を介して、外部からの操作入力を受け付けることによりＨＤＭＩに関する設定を行うことを特徴とする特徴としている。
【００１１】
請求項５に記載の動画像再生装置は、請求項２〜請求項４のいずれかに記載の動画像再生装置であって、前記ＨＤＭＩ設定手段によって、ＥＤＩＤに対応していない設定条件が受け付けられた場合に、ＥＤＩＤに対応していない設定条件が受け付けられた旨の情報を報知する報知手段を備えることを特徴としている。
【００１２】
請求項６に記載の動画像再生装置は、請求項５に記載の動画像再生装置であって、前記報知手段が、ＥＤＩＤに対応していない設定条件が受け付けられた旨の情報を前記表示装置に表示させることを特徴としている。
【００１３】
請求項７に記載の動画像再生装置は、請求項２〜請求項６のいずれかに記載の動画像再生装置であって、前記ＨＤＭＩ設定手段によって、ＥＤＩＤに対応していない設定条件が受け付けられた場合に、外部からの操作入力を受け付けて、受け付けられた操作入力に基づいて、ＥＤＩＤに対応していない設定条件を設定するか否かの判定を行う判定手段を備えることを特徴としている。
【００１４】
請求項８に記載の動画像再生装置は、請求項２〜請求項７のいずれかに記載の動画像再生装置であって、前記ＨＤＭＩ設定手段が、前記ディスプレイとのＨＤＭＩに関する設定項目として、画像の解像度の設定、画像のカラースペースの設定、及び、音声の音響効果の設定、の少なくとも１の項目を含むことを特徴としている。
【発明の効果】
【００１５】
請求項１に記載のＤＶＤプレイヤによれば、ディスプレイとのＨＤＭＩに関する設定をＥＤＩＤに従って行うと選択された場合には、ＥＤＩＤに従ってディスプレイとのＨＤＭＩに関する設定が行われ、ディスプレイのＨＤＭＩに関する設定をＥＤＩＤに従って行わないと選択された場合には、ディスプレイとのＨＤＭＩに関する設定がＥＤＩＤに対応していない設定条件も含めて行われるため、利便性を向上することができる。
【００１６】
すなわち、例えば、ＥＤＩＤに含まれる設定情報が伝送ノイズ等によって改変され、適正では無い場合、または、ユーザがＥＤＩＤに含まれる設定情報以外の条件での出力（＝表示又は音声出力）を所望する場合に、ディスプレイとのＨＤＭＩに関する設定をＥＤＩＤに従って行うか否かの選択を行うことができるため、ディスプレイとのＨＤＭＩに関する設定をＥＤＩＤに従わないで行うことができるのである。
【００１７】
また、ディスプレイとのＨＤＭＩに関する設定に対応するメニュー画面がディスプレイに表示され、外部からの操作入力が受け付けられて、受け付けられた操作入力に基づいて、メニュー画面の項目を選択することによりＨＤＭＩに関する設定が行われるため、ＨＤＭＩに関する設定を簡単に行うことができ、利便性を更に向上することができる。
【００１８】
更に、リモートコントローラを介して、外部からの操作入力を受け付けることによりＨＤＭＩに関する設定が行われるため、利便性を更に向上することができる。
【００１９】
加えて、ＥＤＩＤに対応していない設定条件が受け付けられた場合に、ＥＤＩＤに対応していない設定条件が受け付けられた旨の情報が報知されるため、ユーザは、ＥＤＩＤに対応していない設定条件が受け付けられたことを確実に認識することができ、利便性を更に向上することができる。すなわち、ユーザは、ＥＤＩＤに対応していない設定条件であることを知らずに、ＥＤＩＤに対応していない設定条件を設定することを確実に防止することができるため、誤操作を防止することができるのである。
【００２０】
また、ＥＤＩＤに対応していない設定条件が受け付けられた旨の情報がディスプレイに表示されるため、ユーザは、ＥＤＩＤに対応していない設定条件が受け付けられたことを容易に認識することができ、利便性を更に向上することができる。
【００２１】
更に、操作入力に基づいて、ＥＤＩＤに対応していない設定条件を設定するか否かの判定が行われるため、ユーザは、ディスプレイとのＨＤＭＩに関する設定をＥＤＩＤに従わないで行うことを操作によって選択することができ、利便性を更に向上することができる。
【００２２】
加えて、ディスプレイとのＨＤＭＩに関する設定項目として、画像の解像度の設定、画像のカラースペースの設定、及び、音声の音響効果の設定が含まれるため、ユーザによって設定される頻度の高い項目に関する設定を、ＥＤＩＤに従わないで行うことができ、利便性を更に向上することができる。
【００２３】
請求項２に記載の動画像再生装置によれば、表示装置とのＨＤＭＩに関する設定をＥＤＩＤに従って行うと選択された場合には、ＥＤＩＤに従って表示装置とのＨＤＭＩに関する設定が行われ、表示装置の設定をＥＤＩＤに従って行わないと選択された場合には、表示装置とのＨＤＭＩに関する設定がＥＤＩＤに対応していない設定条件も含めて行われるため、利便性を向上することができる。
【００２４】
すなわち、例えば、ＥＤＩＤに含まれる設定情報が伝送ノイズ等によって改変され、適正では無い場合、または、ユーザがＥＤＩＤに含まれる設定情報以外の条件での出力（＝表示又は音声出力）を所望する場合に、表示装置とのＨＤＭＩに関する設定をＥＤＩＤに従って行うか否かの選択を行うことができるため、表示装置とのＨＤＭＩに関する設定をＥＤＩＤに従わないで行うことができるのである。
【００２５】
請求項３に記載の動画像再生装置によれば、表示装置とのＨＤＭＩに関する設定に対応するメニュー画面が表示装置に表示され、外部からの操作入力が受け付けられて、受け付けられた操作入力に基づいて、メニュー画面の項目を選択することによりＨＤＭＩに関する設定が行われるため、ＨＤＭＩに関する設定を簡単に行うことができ、利便性を更に向上することができる。
【００２６】
請求項４に記載の動画像再生装置によれば、操作手段を介して、外部からの操作入力を受け付けることによりＨＤＭＩに関する設定が行われるため、利便性を更に向上することができる。
【００２７】
請求項５に記載の動画像再生装置によれば、ＥＤＩＤに対応していない設定条件が受け付けられた場合に、ＥＤＩＤに対応していない設定条件が受け付けられた旨の情報が報知されるため、ユーザは、ＥＤＩＤに対応していない設定条件が受け付けられたことを確実に認識することができ、利便性を更に向上することができる。
【００２８】
すなわち、ユーザは、ＥＤＩＤに対応していない設定条件であることを知らずに、ＥＤＩＤに対応していない設定条件を設定することを確実に防止することができるため、誤操作を防止することができるのである。
【００２９】
請求項６に記載の動画像再生装置によれば、ＥＤＩＤに対応していない設定条件が受け付けられた旨の情報が表示装置に表示されるため、ユーザは、ＥＤＩＤに対応していない設定条件が受け付けられたことを容易に認識することができ、利便性を更に向上することができる。
【００３０】
請求項７に記載の動画像再生装置によれば、操作入力に基づいて、ＥＤＩＤに対応していない設定条件を設定するか否かの判定が行われるため、ユーザは、表示装置とのＨＤＭＩに関する設定をＥＤＩＤに従わないで行うことを操作によって選択することができ、利便性を更に向上することができる。
【００３１】
請求項８に記載の動画像再生装置によれば、表示装置とのＨＤＭＩに関する設定項目として、画像の解像度の設定、画像のカラースペースの設定、及び、音声の音響効果の設定、の少なくとも１の項目が含まれるため、ユーザによって設定される頻度の高い項目に関する設定を、ＥＤＩＤに従わないで行うことができ、利便性を更に向上することができる。
【発明を実施するための最良の形態】
【００３２】
以下に本発明の実施形態を、図面を参照しながら説明する。図１は、本発明に係るＤＶＤプレイヤの接続状態の一例を示す構成図である。ＤＶＤ（Ｄｉｇｉｔａｌ  Ｖｅｒｓａｔｉｌｅ  Ｄｉｓｋ）プレイヤ１（動画像再生装置に相当する）は、リモートコントローラ（＝Ｒｅｍｏｔｅｃｏｎｔｒｏｌｌｅｒ：以下、「リモコン」という）２と赤外線通信を介して通信可能に接続され、ディスプレイ３とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルを介して（＝ＨＤＭＩ規格を用いて）通信可能に接続されている。また、ＤＶＤプレイヤ１は、リモコン２を介して、ユーザからの操作入力を受け付けると共に、ＤＶＤに格納された動画像情報及び音声情報を読み出して再生し、ＨＤＭＩケーブルを介してディスプレイ３に出力させるものである。
【００３３】
リモコン２（操作手段の一部に相当する）は、ユーザからの操作入力を受け付けて、操作入力に対応する赤外線信号を生成して、ＤＶＤプレイヤ１に対して出力するものである。
【００３４】
ディスプレイ３（表示装置に相当する）は、スピーカを備え、ＤＶＤプレイヤ１からＨＤＭＩケーブルを介して入力された動画像情報及び音声情報に基づいて、動画像及び音声の出力を行うものである。
【００３５】
図２は、ＤＶＤプレイヤ１の構成の一例を示すブロック図である。ＤＶＤプレイヤ１は、マイクロプロセッサ１１、光ピックアップ１２、ＲＦ回路１３、外部インターフェイス１４、ＨＤＭＩインターフェイス１５、表示部１６、メモリ１７、赤外線信号受信部１８、及び、操作部１９を備えている。
【００３６】
マイクロプロセッサ１１は、ＤＶＤプレイヤ１全体の動作を制御するものであって、ここでは、リモコン２からの操作信号を図２に示す赤外線信号受信部１８を介して受信して、受信された操作信号に対応するコマンド情報を生成してディスプレイ３に対してＨＤＭＩケーブルを介して送信するものである。
【００３７】
光ピックアップ１２は、ＤＶＤ−ＲＡＭ１００に対してレーザビームを照射してデータの読み出しを行うものである。ＲＦ回路１３は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。ＨＤＭＩインターフェイス１５は、ＨＤＭＩ規格に従って、ＨＤＭＩケーブルを介してディスプレイ３との間で動画像情報、音声情報等の種々の情報送受信を行うものである。
【００３８】
表示部１６は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ１７は、ここでは、ディスプレイ３から取得されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）に含まれるＨＤＭＩに関するディスプレイ３の設定情報（以下、ＥＤＩＤ設定情報という）を格納するものである。赤外線信号受信部１８は、リモコン２から送信された赤外線信号を受信するものである。操作部１９（操作手段の一部に相当する）は、種々の操作ボタンを備え、操作ボタンを介して外部からの操作入力を受け付けるものである。
【００３９】
図３は、リモコン２の外観の一例を示す正面図である。リモコン２は、テンキー２１、矢印キー２２、エンターキー２３等のキーを備えている。テンキー２１は、「０」〜「９」の数字を入力する場合に押下されるキーである。矢印キー２２は、上下左右の方向を選択する４つのキーからなり、ディスプレイ３に表示されたボタン等の選択状態を変更する場合に押下されるキーである。エンターキー２３は、ディスプレイ３に表示されたボタン等の選択状態を確定する場合に押下されるキーである。
【００４０】
図４は、本発明に係る主要部の機能構成の一例を示すブロック図である。図１に示すマイクロプロセッサ１１は、機能的に、ＥＤＩＤ取得部１１１、設定切換部１１２、ＨＤＭＩ設定部１１３、報知部１１４、及び、判定部１１５を備えている。
【００４１】
ここでは、マイクロプロセッサ１１が、図略のＲＯＭ（Ｒｅａｄ  Ｏｎｌｙ  Ｍｅｍｏｒｙ）等に予め格納されたプログラムを読み出して実行することにより、ＥＤＩＤ取得部１１１、設定切換部１１２、ＨＤＭＩ設定部１１３、報知部１１４、及び、判定部１１５等の機能部として機能するものである。
【００４２】
また、図２に示すメモリ１７又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ、半導体メモリ等である。
【００４３】
ＥＤＩＤ取得部１１１（ＥＤＩＤ取得手段に相当する）は、ディスプレイ３からＨＤＭＩケーブルを介してＥＤＩＤを取得するものである。ここで、ＥＤＩＤは、画像の解像度の設定情報、画像のカラースペースの設定情報、及び、音声の音響効果の設定情報を含んでいる。
【００４４】
設定切換部１１２（設定切換手段に相当する）は、ユーザからの操作入力を、リモコン２を介して受け付けて、受け付けられた操作入力に基づいて、ディスプレイ３とのＨＤＭＩに関する設定を、ＥＤＩＤ取得部１１１によって取得されたＥＤＩＤ設定情報に従って行うか否かの選択を行うものである。
【００４５】
図５は、設定切換部１１２によってディスプレイ３に表示される選択画面の一例を示す画面図である。選択画面４００は、画面中央部左側に、ディスプレイ３とのＨＤＭＩに関する設定をＥＤＩＤ設定情報に従って行う（以下、「ＥＤＩＤ  ＡＵＴＯ機能をＯＮする」という）場合に、ユーザによってリモコン２を介して選択されるＯＮボタン４０１が表示され、画面中央部右側に、ディスプレイ３とのＨＤＭＩに関する設定をＥＤＩＤ設定情報に従って行わない（以下、「ＥＤＩＤ  ＡＵＴＯ機能をＯＦＦする」という）場合に、ユーザによってリモコン２を介して選択されるＯＦＦボタン４０２が表示されている。
【００４６】
例えば、ユーザは、リモコン２の矢印キー２２を押下することによって、ＯＮボタン４０１を選択状態として、エンターキー２３を押下することによって、ＥＤＩＤ  ＡＵＴＯ機能をＯＮすることができる。また、ユーザは、リモコン２の矢印キー２２を押下することによって、ＯＦＦボタン４０２を選択状態として、エンターキー２３を押下することによって、ＥＤＩＤ  ＡＵＴＯ機能をＯＦＦすることができる。
【００４７】
再び、図４に戻って、マイクロプロセッサ１１の機能構成を説明する。ＨＤＭＩ設定部１１３（ＨＤＭＩ設定手段に相当する）は、設定切換部１１２によってディスプレイ３とのＨＤＭＩに関する設定をＥＤＩＤ設定情報に従って行う（＝ＥＤＩＤ  ＡＵＴＯ機能をＯＮする）と選択された場合には、ＥＤＩＤ設定情報に従ってディスプレイ３とのＨＤＭＩに関する設定を行い、設定切換部１１２によってディスプレイ３とのＨＤＭＩに関する設定をＥＤＩＤに従って行わない（＝ＥＤＩＤ  ＡＵＴＯ機能をＯＦＦする）と選択された場合には、ディスプレイ３とのＨＤＭＩに関する設定を、ＥＤＩＤに対応していない設定条件も含めて行うものである。
【００４８】
ここで、ＥＤＩＤ設定情報は、画像の解像度の設定情報、画像のカラースペースの設定情報、及び、音声の音響効果の設定情報を含むものである。画像の解像度の設定情報は、例えば、７２０×４８０Ｄｏｔ、１２８０×７２０Ｄｏｔ等の情報である。画像のカラースペースの設定情報は、例えば、Ｒ、Ｇ、Ｂ形式、色差（Ｙ、Ｃｂ、Ｃｒ）形式等の情報である。音声の音響効果の設定情報は、例えば、サラウンド、センター、サブウーファー等の情報である。
【００４９】
また、ＨＤＭＩ設定部１１３は、ディスプレイ３とのＨＤＭＩに関する設定に対応するメニュー画面をディスプレイ３に表示し、リモコン２を介して、ユーザからの操作入力を受け付けて、受け付けられた操作入力に基づいて、メニュー画面の項目を選択することによりＨＤＭＩに関する設定を行うものである。
【００５０】
例えば、ＤＶＤプレイヤは、画像の解像度として７２０×４８０Ｄｏｔ、１２８０×７２０Ｄｏｔ、１９２０×１０８０Ｄｏｔの３種類の出力設定が可能であり、ＥＤＩＤ設定情報に画像の解像度の設定情報として、７２０×４８０Ｄｏｔ、１２８０×７２０Ｄｏｔの２種類の設定情報が含まれている場合について、図６を用いて説明する。
【００５１】
図６は、ＨＤＭＩ設定部１１３によってディスプレイ３に表示されるメニュー画面の一例を示す画面図である。（ａ）は、ＥＤＩＤ  ＡＵＴＯ機能をＯＦＦすると選択された場合のメニュー画面の画面図であり、（ｂ）は、ＥＤＩＤ  ＡＵＴＯ機能をＯＮすると選択された場合のメニュー画面の画面図である。
【００５２】
（ａ）に示すように、メニュー画面４１０には、画面中央部に上から順に、７２０×４８０Ｄｏｔ、１２８０×７２０Ｄｏｔ、１９２０×１０８０Ｄｏｔを設定する場合に、それぞれ選択される解像度選択ボタン４１１、４１２、４１３が表示されている。ユーザは、リモコン２の矢印キー２２を押下することによって、解像度選択ボタン４１１、４１２、４１３の内、いずれか１のボタンを選択状態として、エンターキー２３を押下することによって、解像度を設定することができる。
【００５３】
（ｂ）に示すように、メニュー画面４２０には、画面中央部に上から順に、７２０×４８０Ｄｏｔ、１２８０×７２０Ｄｏｔを設定する場合に、それぞれ選択される解像度選択ボタン４２１、４２２が表示されている。ユーザは、リモコン２の矢印キー２２を押下することによって、解像度選択ボタン４２１、４２２の内、いずれか一方のボタンを選択状態として、エンターキー２３を押下することによって、解像度を設定することができる。
【００５４】
なお、１９２０×１０８０Ｄｏｔを設定する場合に選択される解像度選択ボタン４２３は、解像度選択ボタン４２２の下側に、グレーアウトして選択不能に表示されている。すなわち、ＥＤＩＤ  ＡＵＴＯ機能がＯＮされているため、ＥＤＩＤ設定情報に画像の解像度の設定情報として含まれていない解像度である１９２０×１０８０Ｄｏｔは選択することができない。
【００５５】
再び、図４に戻って、マイクロプロセッサ１１の機能構成を説明する。報知部１１４（報知手段に相当する）は、ＨＤＭＩ設定部１１３によって、ＥＤＩＤに対応していない設定条件（＝ＥＤＩＤ設定情報に含まれていない設定条件）が受け付けられた場合に、ＥＤＩＤに対応していない設定条件が受け付けられた旨の情報を報知するものである。具体的には、報知部１１４は、ＨＤＭＩ設定部１１３によって、ＥＤＩＤに対応していない設定条件（＝ＥＤＩＤ設定情報に含まれていない設定条件）が受け付けられた場合に、ＥＤＩＤに対応していない設定条件が受け付けられた旨の情報をディスプレイ３に表示させるものである。報知部１１４は、例えば、「ＥＤＩＤに対応していない設定条件が選択されました。」というメッセージ情報をディスプレイ３に表示させるものである。
【００５６】
判定部１１５（判定手段に相当する）は、ＨＤＭＩ設定部１１３によって、ＥＤＩＤに対応していない設定条件（＝ＥＤＩＤ設定情報に含まれていない設定条件）が受け付けられた場合に、リモコン２を介してユーザからの操作入力を受け付けて、受け付けられた操作入力に基づいて、ＥＤＩＤに対応していない設定条件を設定するか否かの判定を行うものである。
【００５７】
例えば、判定部１１５は、ディスプレイ３に、「ＥＤＩＤに対応していない設定条件が選択されました。正しく出力されない場合がありますが、設定してもいいですか？」というメッセージ情報をディスプレイ３に表示させ、設定する場合に選択されるＹＥＳボタンと設定しない場合に選択されるＮＯボタンとを、リモコン２を介して選択可能に表示するものである。
【００５８】
図７は、マイクロプロセッサ１１の動作の一例を示すフローチャートである。ここでは、便宜上、ＥＤＩＤ取得部１１１によって予めディスプレイ３からＥＤＩＤが取得され、設定切換部１１２によって、ＥＤＩＤ設定情報に従って行うか否か（＝ＥＤＩＤ  ＡＵＴＯ機能をＯＮするか否か）の選択が行われているものとする。まず、ＨＤＭＩ設定部１１３によって、ＥＤＩＤ  ＡＵＴＯ機能がＯＮであるか否かの判定が行われる（Ｓ１０１）。
【００５９】
ＨＤＭＩ設定部１１３によって、ＥＤＩＤ  ＡＵＴＯ機能がＯＮであると判定された場合（Ｓ１０１でＹＥＳ）には、ＥＤＩＤ  ＡＵＴＯ機能をＯＮする（＝ディスプレイ３とのＨＤＭＩに関する設定をＥＤＩＤ設定情報に従って行う）と選択された場合のメニュー画面（図５（ｂ）参照）がディスプレイ３に表示される（Ｓ１０３）。そして、ＨＤＭＩ設定部１１３によって、リモコン２を介して、メニュー画面の項目の選択が受け付けられる（Ｓ１０５）。次いで、ＨＤＭＩ設定部１１３によって、ステップ１１３において受け付けられた項目に対応する設定条件に設定され（Ｓ１１７）、処理が終了される。
【００６０】
ステップＳ１０１において、ＥＤＩＤ  ＡＵＴＯ機能がＯＮではない（＝ＯＦＦである）と判定された場合（Ｓ１０１でＮＯ）には、ＨＤＭＩ設定部１１３によって、ＥＤＩＤ  ＡＵＴＯ機能をＯＦＦする（＝ディスプレイ３とのＨＤＭＩに関する設定をＥＤＩＤ設定情報に従って行わない）と選択された場合のメニュー画面（図５（ａ）参照）がディスプレイ３に表示される（Ｓ１０７）。そして、そして、ＨＤＭＩ設定部１１３によって、リモコン２を介して、メニュー画面の項目の選択が受け付けられる（Ｓ１０９）。次いで、報知部１１４によって、ＥＤＩＤに対応していない設定条件が受け付けられたか否かの判定が行われる（Ｓ１１１）。
【００６１】
ＥＤＩＤに対応していない設定条件は受け付けられていない（＝ＥＤＩＤに対応している設定条件が受け付けられた）と判定された場合（Ｓ１１１でＮＯ）には、ＨＤＭＩ設定部１１３によって、ステップ１０９において受け付けられた項目に対応する設定条件に設定され（Ｓ１１７）、処理が終了される。ＥＤＩＤに対応していない設定条件が受け付けられたと判定された場合（Ｓ１１１でＹＥＳ）には、報知部１１４によって、ＥＤＩＤに対応していない設定条件が受け付けられた旨のメッセージ情報がディスプレイ３に表示される（Ｓ１１３）。
【００６２】
次に、判定部１１５によって、リモコン２を介してユーザからの操作入力が受け付けられて、受け付けられた操作入力に基づいて、ＥＤＩＤに対応していない設定条件を設定するか否かの判定が行われる（Ｓ１１５）。ＥＤＩＤに対応していない設定条件を設定すると判定された場合（Ｓ１１５でＹＥＳ）には、ＨＤＭＩ設定部１１３によって、ステップ１０９において受け付けられた項目に対応する設定条件に設定され（Ｓ１１７）、処理が終了される。ＥＤＩＤに対応していない設定条件を設定しないと判定された場合（Ｓ１１５でＮＯ）には、処理がステップＳ１０７に戻され、ステップＳ１０７以降の処理が繰り返し実行される。
【００６３】
このようにして、設定切換部１１２によって、ディスプレイ３とのＨＤＭＩに関する設定をＥＤＩＤに従って行うと選択された場合には、ＨＤＭＩ設定部１１３によって、ＥＤＩＤに従ってディスプレイ３とのＨＤＭＩに関する設定が行われ、設定切換部１１２によって、ディスプレイ３のＨＤＭＩに関する設定をＥＤＩＤに従って行わないと選択された場合には、ＨＤＭＩ設定部１１３によって、ディスプレイ３とのＨＤＭＩに関する設定がＥＤＩＤに対応していない設定条件も含めて行われるため、利便性を向上することができる。
【００６４】
すなわち、例えば、ＥＤＩＤに含まれる設定情報が伝送ノイズ等によって改変され、適正では無い場合、または、ユーザがＥＤＩＤに含まれる設定情報以外の条件での出力（＝表示又は音声出力）を所望する場合に、ディスプレイ３とのＨＤＭＩに関する設定をＥＤＩＤに従って行うか否かの選択を行うことができるため、ディスプレイ３とのＨＤＭＩに関する設定をＥＤＩＤに従わないで行うことができるのである。
【００６５】
また、ＨＤＭＩ設定部１１３によって、ディスプレイ３とのＨＤＭＩに関する設定に対応するメニュー画面（図６参照）がディスプレイ３に表示され、ユーザからの操作入力が受け付けられて、受け付けられた操作入力に基づいて、メニュー画面の項目を選択することによりＨＤＭＩに関する設定が行われるため、ＨＤＭＩに関する設定を簡単に行うことができ、利便性を更に向上することができる。
【００６６】
更に、ＨＤＭＩ設定部１１３によって、リモコン２を介して、ユーザからの操作入力を受け付けることによりＨＤＭＩに関する設定が行われるため、利便性を更に向上することができる。
【００６７】
加えて、報知部１１４によって、ＥＤＩＤに対応していない設定条件が受け付けられた場合に、ＥＤＩＤに対応していない設定条件が受け付けられた旨の情報が報知されるため、ユーザは、ＥＤＩＤに対応していない設定条件が受け付けられたことを確実に認識することができ、利便性を更に向上することができる。すなわち、ユーザは、ＥＤＩＤに対応していない設定条件であることを知らずに、ＥＤＩＤに対応していない設定条件を設定することを確実に防止することができるため、誤操作を防止することができるのである。
【００６８】
また、報知部１１４によって、ＥＤＩＤに対応していない設定条件が受け付けられた旨の情報がディスプレイ３に表示されるため、ユーザは、ＥＤＩＤに対応していない設定条件が受け付けられたことを容易に認識することができ、利便性を更に向上することができる。
【００６９】
更に、判定部１１５によって、リモコン２を介して操作入力が受け付けられ、受け付けられた操作入力に基づいて、ＥＤＩＤに対応していない設定条件を設定するか否かの判定が行われるため、ユーザは、ディスプレイ３とのＨＤＭＩに関する設定をＥＤＩＤに従わないで行うことを操作によって選択することができ、利便性を更に向上することができる。
【００７０】
加えて、ディスプレイ３とのＨＤＭＩに関する設定項目として、画像の解像度の設定、画像のカラースペースの設定、及び、音声の音響効果の設定が含まれるため、ユーザによって設定される頻度の高い項目に関する設定を、ＥＤＩＤに従わないで行うことができ、利便性を更に向上することができる。
【００７１】
なお、本発明は、以下の形態にも適用可能である。
（Ａ）本実施形態では、動画像再生装置がＤＶＤプレイヤ１である場合について説明したが、動画像及び音声を出力可能に構成されたディスプレイ３等の表示装置とＨＤＭＩを介して通信可能に接続され、ＤＶＤ−ＲＡＭ１００等の記録媒体に格納された情報を読み出して再生可能に構成された装置であればよい。例えば、動画像再生装置が、ビデオテーププレイヤ、パーソナルコンピュータ等である形態でもよい。
【００７２】
（Ｂ）本実施形態では、表示装置がディスプレイ３である場合について説明したが、動画像及び音声を出力可能に構成され、ＤＶＤプレイヤ１等の動画像再生装置とＨＤＭＩを介して通信可能に接続される装置であればよい。例えば、表示装置がテレビ放送を受信可能に構成されたテレビ受信機等である形態でもよい。
【００７３】
（Ｃ）本実施形態では、ＤＶＤプレイヤ１とディスプレイ３とがＨＤＭＩを介して通信可能に接続される場合について説明したが、その他のインターフェイス（例えば、ＤＶＩ等）で通信可能に接続される形態でもよい。ＤＶＤプレイヤ１とディスプレイ３とがＤＶＩを介して通信可能に接続される場合には、ディスプレイ３とのＤＶＩに関する設定項目に、画像のカラースペースの設定、及び、音声の音響効果が含まれないことになる。
【００７４】
（Ｄ）本実施形態では、設定切換部１１２、ＨＤＭＩ設定部１１３、及び、判定部１１５が、リモコン２を介してユーザからの操作入力を受け付ける場合について説明したが、設定切換部１１２、ＨＤＭＩ設定部１１３、及び、判定部１１５の内、少なくとも１の機能部が、ＤＶＤプレイヤ１の操作部１９を介してユーザからの操作入力を受け付ける形態でもよい。
【００７５】
（Ｅ）本実施形態では、報知部１１４がＥＤＩＤに対応していない設定条件が受け付けられた旨の情報をディスプレイ３に表示させる場合について説明したが、その他の方法でＥＤＩＤに対応していない設定条件が受け付けられた旨の情報を報知する形態でもよい。例えば、報知部１１４が、ディスプレイ３に配設されたスピーカを介して音声情報として報知する形態でもよい。
【図面の簡単な説明】
【００７６】
【図１】は、本発明に係るＤＶＤプレイヤの接続状態の一例を示す構成図である。
【図２】は、ＤＶＤプレイヤの構成の一例を示すブロック図である。
【図３】は、リモコンの外観の一例を示す正面図である。
【図４】は、本発明に係る主要部の機能構成の一例を示すブロック図である。
【図５】は、設定切換部によってディスプレイに表示される選択画面の一例を示す画面図である。
【図６】は、ＨＤＭＩ設定部によってディスプレイに表示されるメニュー画面の一例を示す画面図である。
【図７】は、マイクロプロセッサの動作の一例を示すフローチャートである。
【符号の説明】
【００７７】
１    ＤＶＤプレイヤ（動画像再生装置）
１００    ＤＶＤ−ＲＡＭ
１１    マイクロプロセッサ
１１１    ＥＤＩＤ取得部（ＥＤＩＤ取得手段）
１１２    設定切換部（設定切換手段）
１１３    ＨＤＭＩ設定部（ＨＤＭＩ設定手段）
１１４    報知部（報知手段）
１１５    判定部（判定手段）
１９    操作部（操作手段の一部）
２    リモートコントローラ（操作手段の一部）
３    ディスプレイ（表示装置）
【図１】
2008053983.tif 000003
【図２】
2008053983.tif 000004
【図３】
2008053983.tif 000005
【図４】
2008053983.tif 000006
【図５】
2008053983.tif 000007
【図６】
2008053983.tif 000008
【図７】
2008053983.tif 000009